(57)【特許請求の範囲】
【請求項１】
携帯用送風装置であって、
上側ロッド部分、回転リング及び下側ロッド部分を含む少なくとも１つの支持ロッドであって、前記上側ロッド部分の一端はフックに接続されており、前記回転リングは前記上側ロッド部分と前記下側ロッド部分との間に位置付けられ、複数の第１の固定部分が前記回転リングの外面に配置され、ハウジングスペースが、バッテリユニットを収容するように前記下側ロッド部分内に位置付けられる、少なくとも１つの支持ロッドと、
前記回転リングに接続される複数のブレードであって、各ブレードの一端は、前記回転リングの前記第１の固定部分に接続する第１の接続部分を有する、複数のブレードと、    一端に第２の接続部分を有する複数の支持フレームとを備え、
前記下側ロッド部分の外面は、前記支持フレームの前記第２の接続部分にそれぞれ接続する複数の第２の固定部分を有し、
前記支持フレームは平坦な直方体であり、複数の溝が前記支持フレームの上面に位置付けられるか、又は、複数の貫通孔が前記支持フレームの側面に位置付けられ、
それぞれの前記支持フレームの他端は、接続凹部又は接続突起を備え、該接続凹部又は該接続突起を介して別の送風装置の支持フレームに接続することを特徴とする、
携帯用送風装置。
【請求項２】
前記支持ロッドの前記下側ロッド部分は、２つの前記支持フレームに接続し、ハンガを形成することを特徴とする、請求項１に記載の送風装置。
【請求項３】
前記第１の接続部分は、回転シャフトを介して前記ブレードに接続されることを特徴とする、請求項１に記載の送風装置。
【請求項４】
前記支持ロッドの前記下側ロッド部分に配置される貫通孔、及び、前記バッテリユニットに配置される突出ボタンをさらに備え、前記バッテリユニットは前記下側ロッド部分の前記ハウジングスペース内に位置付けられ、前記突出ボタンは前記貫通孔内にロックされることを特徴とする、請求項１に記載の送風装置。
【請求項５】
前記バッテリユニットは充電式バッテリであることを特徴とする、請求項１に記載の送風装置。
【請求項６】
前記バッテリユニットは、炭素亜鉛電池、アルカリ電池又は使い捨て電池であることを特徴とする、請求項１に記載の送風装置。
【発明の詳細な説明】
【技術分野】
【０００１】
本発明は、送風装置に関し、特に、携帯用送風装置に関する。
【背景技術】
【０００２】
旅行者は多くの場合、自身の服を乾燥させるために、ホテルのバスルーム又は客室に自身の洗濯した服を吊り下げる。しかし、バスルーム又は客室には湿気がある傾向があり、服を容易に乾燥させないほど十分に対流がない。したがって、旅行者は多くの場合、湿った服を着用し、旅行時に不都合を生じる可能性がある。
【発明の概要】
【発明が解決しようとする課題】
【０００３】
したがって、本発明は、旅行者が持ち運ぶのに便利であり、様々な場所における使用に好適である革新的な送風装置を提供する。それによって、旅行者は、旅行中に送風装置を使用することで迅速に送風して服を乾燥させ、旅行時の便利さを高めることが可能である。
【課題を解決するための手段】
【０００４】
本発明の目的は、少なくとも１つの支持ロッド及び複数のブレードを備える送風装置を提供することである。支持ロッドは、上側ロッド部分、下側ロッド部分、及び、上側ロッド部分と下側ロッド部分との間に位置決めされる回転リングを含み、上側ロッド部分の上端はフック又はクリップに接続される。ブレードは、回転リングに接続され、回転リングとともに上側ロッド部分及び下側ロッド部分に対して回転し、空気流を発生させる。
【０００５】
本発明の別の目的は、服、靴、靴下又はタオルを吊り下げるために支持ロッドの下側ロッド部分に少なくとも１つの支持フレームが設けられる送風装置を提供することである。送風装置が作動されると、ブレードは、回転リングとともに回転して空気流を発生させ、支持フレームに配置される服、靴、靴下又はタオルに送風し、服、靴、靴下又はタオルの乾燥時間を短縮する。
【０００６】
本発明の別の目的は、送風装置を提供することである。使用者は、乾燥される服、靴、靴下又はタオルに従って適切な支持フレームを選択し、選択された支持フレームを支持ロッドに設置できる。送風装置のブレードは、空気流を発生させ、支持フレームに吊り下げられる服、靴、靴下又はタオルに送風して服、靴、靴下又はタオルを乾燥できる。
【０００７】
本発明の別の目的は、使用者によって容易に持ち運ばれ、組み立てられ、分解される送風装置を提供することである。したがって、使用者は、旅行中に送風装置を持ち運び可能であり、送風装置をいつどんな場所でも組み立てて、空気流を発生させ、服に送風して使用時の便利さを高めることが可能である。
【０００８】
本発明は、携帯用送風装置であって、上側ロッド部分、回転リング及び下側ロッド部分を含む少なくとも１つの支持ロッドであって、上側ロッド部分の一端はフック又はクリップに接続されており、回転リングは上側ロッド部分と下側ロッド部分との間に位置付けられ、複数の第１の固定部分が回転リングの外面に配置され、ハウジングスペースが、バッテリユニットを収容するように下側ロッド部分内に位置付けられる、少なくとも１つの支持ロッド、並びに、回転リングに接続される複数のブレードであって、各ブレードの一端は、回転リングの第１の固定部分に接続する第１の接続部分を有する、複数のブレードを備える、携帯用送風装置を提供する。
【０００９】
送風装置の１つの実施形態では、送風装置は、第２の接続部分がその一端に配置される複数の支持フレームを備え、下側ロッド部分の外面は、支持フレームの第２の接続部分にそれぞれ接続する複数の第２の固定部分を有する。
【００１０】
送風装置の１つの実施形態では、支持フレームは平坦な直方体であり、複数の溝が支持フレームの上面に位置付けられるか、又は、複数の貫通孔が支持フレームの側面に位置付けられる。
【００１１】
送風装置の１つの実施形態では、それぞれの支持フレームの他端は、接続凹部又は接続突起を備え、接続凹部又は接続突起を介して別の送風装置の支持フレームに接続する。
【００１２】
送風装置の１つの実施形態では、支持ロッドの下側ロッド部分は、２つの支持フレームに接続し、ハンガを形成する。
【００１３】
送風装置の１つの実施形態では、送風装置は、第３の接続部分をその一端に有する弓状の補助的な支持フレームを備え、弓状の補助的な支持フレームの第３の接続部分は、下側ロッド部分の第２の固定部分のうちの１つに接続され、弓状の補助的な支持フレームと２つの支持フレームとの間の角度は同じである。
【００１４】
送風装置の１つの実施形態では、支持フレームはＵ字形状の支持フレームである。
【００１５】
送風装置の１つの実施形態では、送風装置は、下側ロッド部分の外面に位置付けられる少なくとも１つの第２の固定部分に接続するようにその内面に少なくとも１つの第２の接続部分が配置され、その外面を介して少なくとも１つのロッド形状のフレームに接続する、複数の弧状の支持フレームを備え、ロッド形状のフレームの一端は、弧状の支持フレームの外面に接続され、ロッド形状のフレームの他端には、突出する止め部分が設けられる。
【００１６】
送風装置の１つの実施形態では、第１の接続部分は、回転シャフトを介してブレードに接続する。
【００１７】
送風装置の１つの実施形態では、送風装置は、支持ロッドの下側ロッド部分に配置される貫通孔、及び、バッテリユニットに配置される突出ボタンを備え、バッテリユニットは下側ロッド部分のハウジングスペース内に位置付けられ、突出ボタンは貫通孔内にロックされる。
【００１８】
送風装置の１つの実施形態では、バッテリユニットは充電式バッテリである。
【００１９】
送風装置の１つの実施形態では、バッテリユニットは、炭素亜鉛電池、アルカリ電池又は使い捨て電池である。
【００２０】
本発明の構造及び好ましい使用形態、さらなる目的並びに利点は、添付の図面と併せて幾つかの例示的な実施形態の以下の詳細な説明を参照することによって、最もよく理解される。
【図面の簡単な説明】
【００２１】
【図１】本発明の一実施形態による送風装置の分解斜視図である。
【図２】本発明の一実施形態による送風装置の斜視図である。
【図３】本発明の別の実施形態による送風装置の折り畳まれたブレードの斜視図である。
【図４】本発明の別の実施形態による送風装置の分解斜視図である。
【図５】本発明の別の実施形態による送風装置の斜視図である。
【図６】本発明の別の実施形態による送風装置の斜視図である。
【図７】本発明の別の実施形態による送風装置の支持フレームの分解斜視図である。
【図８】本発明の別の実施形態による送風装置の斜視図である。
【図９】本発明の別の実施形態による送風装置の使用の図である。
【図１０】本発明の別の実施形態による送風装置の支持フレームの分解斜視図である。
【図１１】本発明の別の実施形態による送風装置の斜視図である。
【図１２】本発明の別の実施形態による送風装置の使用の図である。
【図１３】本発明の別の実施形態による送風装置の支持フレームの分解斜視図である。
【図１４】本発明の別の実施形態による送風装置の斜視図である。
【図１５】本発明の別の実施形態による送風装置の使用の図である。
【発明を実施するための形態】
【００２２】
それぞれ、本発明の一実施形態による送風装置の分解斜視図及び斜視図である図１及び図２を参照されたい。送風装置１００は、少なくとも１つの支持ロッド１０、複数のブレード２０及びバッテリユニット３０を含む。支持ロッド１０は、上側ロッド部分１１、回転リング１２及び下側ロッド部分１３を含み、上側ロッド部分１１の、上端等の一端は、フック１１０又はクリップに接続されており、上側ロッド部分１１の他端は回転リング１２に接続されている。より詳細には、回転リング１２は、上側ロッド部分１１と下側ロッド部分１３との間に位置付けられており、上側ロッド部分１１及び下側ロッド部分１３に対して回転可能である。複数の第１の固定部分１２１が回転リング１２の外面に配置されており、下側ロッド部分１３の下端又は側面は、中空のハウジングスペースを有することが可能である。
【００２３】
バッテリユニット３０は、回転リング１２を駆動して回転させるために、送風装置１００に駆動力を提供するように使用される。本発明の１つの実施形態では、バッテリユニット３０は突出ボタン３０３を含むことが可能であり、下側ロッド部分１３のハウジングスペースは貫通孔１３３を含むことが可能である。
バッテリユニット３０が下側ロッド部分１３の下端からハウジングスペース内に配置されると、バッテリユニット３０の突出ボタン３０３は、貫通孔１３３に嵌まってロックされ、バッテリユニット３０を支持ロッド１０の下側ロッド部分１３に固定する。さらに、使用者は、突出ボタン３０３を押して突出ボタン３０３を貫通孔１３３からロック解除でき、次に、バッテリユニット３０を支持ロッド１０の下側ロッド部分１３から取り外し可能である。本発明の他の実施形態では、バッテリユニット３０は、ロックアセンブリ又はスナップアセンブリによって支持ロッド１０の下側ロッド部分１３に固定してもよく、したがって、突出ボタン３０３及び貫通孔１３３は、本発明の範囲を限定するものではない。本発明の１つの実施形態では、バッテリユニット３０は、炭素亜鉛電池、アルカリ電池又は他の使い捨て電池であり得る。本発明の他の実施形態では、バッテリユニット３０は、リチウムバッテリ等の充電式バッテリであり得る。バッテリユニット３０が充電式バッテリである場合、バッテリユニット３０は、ＵＳＢケーブル３１、太陽電池パネル又は無線コイルを介して接続して充電できる。
【００２４】
さらに、モータ（図示せず）を、支持ロッド１０の上側ロッド部分１１及び／又は下側ロッド部分１３内に配置できる。具体的には、モータは、ステータ及びロータを含むことが可能であり、ステータは、上側ロッド部分１１及び／又は下側ロッド部分１３に固定され、ロータは回転リング１２に連結される。バッテリユニット３０がモータの動作を駆動すると、回転リング１２は、上側ロッド部分１１及び下側ロッド部分１３に対して回転する。
【００２５】
ブレード２０の一端には、回転リング１２の第１の固定部分１２１に接続できる第１の接続部分２１を設けることが可能である。１つの実施形態では、第１の固定部分１２１は固定された孔であることが可能であり、第１の接続部分２１は、ブレード２０及び回転リング１２の接続のために固定された孔に挿入可能である突出ユニットであることが可能である。本発明の別の実施形態では、第１の固定部分１２１はボルトであることが可能であり、第１の接続部分２１は、ボルトにロックできるナットであることが可能である。
【００２６】
実際の用途では、送風装置１００は、フック１１０又はクリップを介して、ロープ又は固定されたロッド等の固定された物体（図示せず）に吊り下げ可能である。ブレード２０の回転は、空気流を発生させ、使用者又は服に送風可能である。
【００２７】
加えて、送風装置１００のブレード２０は、支持ロッド１０から取り外してもよく、使用者が、バッテリユニット３０、支持ロッド１０及びブレード２０を手荷物かばんに入れて保管して送風装置１００を持ち運ぶことを容易にできる。
【００２８】
図３に示されているような本発明の別の実施形態では、第１の接続部分２１は、回転シャフト２３を介してブレード２０の一端に接続できるため、ブレード２０は、回転シャフト２３上で、支持ロッド１０及び／又は第１の接続部分２１に対して、回転するか又は折り畳まれることが可能である。これによって、使用者は、ブレード２０を回転リング１２に対して折り畳むか又は回転させるだけで、ブレード２０を支持ロッド１０から外すことなく送風装置１００を保管できる。
【００２９】
それぞれ、本発明の別の実施形態による送風装置の分解斜視図及び斜視図である図４及び図５を参照されたい。この実施形態の送風装置１０１は、少なくとも１つの支持フレーム４０をさらに含み、支持フレーム４０の形状は、細長いか又は平坦な直方体であり得る。
支持フレーム４０の一端には第２の接続部分４１が設けられており、下側ロッド部分１３の外面には、支持フレーム４０の第２の接続部分４１にそれぞれ接続できる複数の第２の固定部分１３１が設けられている。この実施形態では、第２の固定部分１３１は固定孔であることが可能であり、第２の接続部分４１は、固定孔内に挿入できる突出ヘッドであることが可能である。加えて、複数の溝４３を、支持フレーム４０の長縁等の上面に配置できるか、又は、複数の貫通孔４５を、支持フレーム４０の側面に配置できる。
【００３０】
図６において示されているような実際の用途では、服８０を、支持フレーム４０の溝４３又は貫通孔４５に吊り下げられるハンガ９０にかけることが可能である。使用者は、バッテリユニット（ユニット）３０の電源ボタン３０１を押し、送風装置１０１のブレード２０及び回転リング１２を作動させて、上側ロッド部分１１及び下側ロッド部分１３に対して回転させ、空気流を発生させて服８０に送風するとともに服の乾燥時間を短縮できる。
【００３１】
加えて、使用者は、複数の送風装置１００／１０１を連続的に接続できる。具体的には、送風装置１００／１０１のそれぞれは、２つ以上の支持フレーム４０の一端を接続でき、２つ以上の支持フレーム４０の他端は、接続突起４７又は接続凹部４９を有することが可能である。送風装置１０１の支持フレーム４０の接続突起４７は、別の送風装置１００の支持フレーム４０の接続凹部４９に接続できる。
複数の送風装置１００／１０１の接続によって、より多くのハンガ９０及び／又は服８０を支持フレーム４０に吊り下げ可能である。本発明の実施形態では、２つの送風装置１００／１０１は、支持フレーム４０を介して連続的に接続される。さらに、連続的に接続される送風装置１００／１０１の数は、他の実施形態では３つ以上であり得る。
【００３２】
ブレード２０及び支持フレーム４０は、支持ロッド１０から取り外しでき、バッテリユニット３０、支持ロッド１０、ブレード２０及び支持フレーム４０は、使用者が送風装置１００／１０１を持ち運ぶことを容易にするように、手荷物かばんに入れて保管できる。さらに、ブレード２０は、回転シャフト２３を介して第１の接続部分２１に接続でき、使用者は、送風装置１００／１０１の保管のために、ブレード２０を回転リング１２に対して折り畳むか又は回転させることが可能である。
【００３３】
それぞれ、本発明の別の実施形態による送風装置の支持フレームの分解斜視図、送風装置の斜視図及び使用の図である図７、図８及び図９を参照されたい。本発明の１つの実施形態では、送風装置１０２の支持ロッド１０の下側ロッド部分１３には、２つの細長い支持フレーム５０を設けることが可能である。
支持フレーム５０の一端は、第２の接続部分５１を有し、支持フレーム５０の他端は滑らない部分５３を有する。例えば、支持フレーム５０は円弧状であることが可能であり、第２の接続部分５１は突出ヘッドであることが可能である。さらに、２つの支持フレーム５０の第２の接続部分５１を、下側ロッド部分１３の第２の固定部分１３１内にそれぞれ挿入できる。例えば、２つの支持フレーム５０間の角度は約１８０度であるため、２つの支持フレーム５０は、ハンガ状の構造を形成し、服８１を、２つの支持フレーム５０に吊り下げ可能である。送風装置１０２のブレード２０は、回転して空気流を発生させ、支持フレーム５０上の服８１に送風して服の乾燥時間を短縮できる。
【００３４】
送風装置１０２は、弓状の補助的な支持フレーム５５をさらに含むことが可能であり、弓状の補助的な支持フレーム５５の一端は、下側ロッド部分１３の第２の固定部分１３１のうちの１つに挿入するための、装着ヘッド等の第３の接続部分５６を有する。具体的には、下側ロッド部分１３に配置される弓状の補助的な支持フレーム５５と、２つの支持フレーム５０との間の角度は同じであるため、２つの支持フレーム５０は、弓状の補助的な支持フレーム５５の両側に対称的に配置される。服８１が２つの支持フレーム５０に吊り下げられると、弓状の補助的な支持フレーム５５が、服８１の前方の生地と後方の生地とを分離させ、服８１の乾燥効率を高める。
【００３５】
ブレード２０、２つの支持フレーム５０及び弓状の補助的な支持フレーム５５は、支持ロッド１０から取り外し可能であり、バッテリユニット３０、支持ロッド１０、ブレード２０、支持フレーム５０及び弓状の補助的な支持フレーム５５は、手荷物かばんに入れて保管できる。他の実施形態では、ブレード２０は、回転シャフト２３を介して第１の接続部分２１に接続でき、使用者は、送風装置１００／１０１の保管のために、ブレード２０を回転リング１２に対して折り畳むか又は回転させることが可能である。
【００３６】
それぞれ、本発明の別の実施形態による、送風装置の支持フレームの分解斜視図、送風装置の斜視図及び使用の図である図１０、図１１及び図１２を参照されたい。本発明の送風装置は、靴又は靴下に送風して乾燥させるために使用できる。
送風装置１０３の支持フレーム６０は、Ｕ字形状の支持フレームであることが可能であり、支持フレーム６０の一端は、下側ロッド部分１３の第２の固定部分１３１内に固定するための、突出ヘッド等の第２の接続部分６１を有し、支持フレーム６０の他端を使用して、靴８３又は靴下を吊り下げ可能である。送風装置１０３のブレード２０は、空気流を発生させ、支持フレーム６０上の靴８３又は靴下に送風し、靴８３又は靴下の乾燥時間を短縮できる。
【００３７】
送風装置１０３のブレード２０及び支持フレーム６０は、支持ロッド１０から取り外し可能であり、バッテリユニット３０、支持ロッド１０、ブレード２０及び支持フレーム６０を、手荷物かばんに入れて保管できる。他の実施形態では、ブレード２０は、回転シャフト２３を介して第１の接続部分２１に接続でき、使用者は、ブレード２０を支持ロッド１０から外すことなく送風装置１０３を保管するために、ブレード２０を回転リング１２に対して折り畳むか又は回転させることが可能である。
【００３８】
それぞれ、本発明の別の実施形態による、送風装置の支持フレームの分解斜視図、送風装置の斜視図及び使用の図である図１３、図１４及び図１５を参照されたい。本発明の送風装置は、服、靴及び靴下を乾燥させる他に、タオルに送風して乾燥させるために使用できる。この実施形態の送風装置１０４の支持フレーム７０は、弧状のフレームであることが可能であり、弧状の支持フレーム７０の内側又は内面等の１つの側に、少なくとも１つの第２の接続部分７１が設けられ、外側又は外面等の他の側に、少なくとも１つのロッド形状のフレーム７３が設けられる。ロッド形状のフレーム７３の一端は、弧状の支持フレーム７０に接続され、ロッド形状のフレーム７３の他端には、隆起した止め部分７３１が設けられる。弧状の支持フレーム７０の第２の接続部分７１は、下側ロッド部分１３の第２の固定部分１３１内に挿入できる。本発明の１つの実施形態では、２つ又は４つの弧状の支持フレーム７０等の、複数の弧状の支持フレーム７０が、支持ロッド１０の外面に配置され、環状部材を形成する。
【００３９】
実際の用途では、タオル８４を、弧状の支持フレーム７０のロッド形状のフレーム７３に吊り下げ可能であり、送風装置１０３のブレード２０は、空気流を発生させ、ロッド形状のフレーム７３上のタオル８４に送風し、タオル８４の乾燥時間を短縮できる。
【００４０】
送風装置１０４のブレード２０及び弧状の支持フレーム７０は、支持ロッド１０から取り外し可能であり、バッテリユニット３０、支持ロッド１０、ブレード２０及び弧状の支持フレーム７０は、手荷物かばんに入れて保管できる。他の実施形態では、ブレード２０は、回転シャフト２３を介して第１の接続部分２１に接続でき、使用者は、ブレード２０を支持ロッド１０から外すことなく送風装置１０３を保管するために、ブレード２０を回転リング１２に対して折り畳むか又は回転させることが可能である。
【００４１】
本発明の送風装置は、様々な形態の支持フレーム４０／５０／６０／７０に接続でき、使用者は、乾燥されるアイテムに従って、適切な支持フレーム４０／５０／６０／７０を選択して支持ロッド１０に接続できる。
【００４２】
本発明は送風装置を提供する。使用者は、旅行中に送風装置を持ち運び可能であり、携帯用送風装置をいつどんな場所でも組み立て又は分解し、服に送風して乾燥させることができる。
【００４３】
上記の開示は、本発明の好ましい実施形態に過ぎず、本発明の範囲を限定するために用いられるべきではない。本発明の特許請求の範囲において記載される形状、構造、特徴及び主旨に基づく全ての均等な変形及び変更は、本発明の特許請求の範囲に含まれるものとする。
【符号の説明】
【００４４】
１００  送風装置
１０１  送風装置
１０２  送風装置
１０３  送風装置
１０４  送風装置
１０  支持ロッド
１１  上側ロッド部分
１１０  フック
１２  回転リング
１２１  第１の固定部分
１３  下側ロッド部分
１３１  第２の固定部分
１３３  貫通孔
２０  ブレード
２１  第１の接続部分
２３  回転シャフト
３０  バッテリユニット
３０１  電源ボタン
３０３  突出ボタン
３１  ＵＳＢケーブル
４０  支持フレーム
４１  第２の接続部分
４３  溝
４５  貫通孔
４７  接続突起
４９  接続凹部
５０  支持フレーム
５１  第２の接続部分
５３  滑らない部分
５５  補助的な支持フレーム
５６  第３の接続部分
６０  支持フレーム
６１  第２の接続部分
７０  弧状の支持フレーム
７１  第２の接続部分
７３  ロッド形状のフレーム
７３１  止め部分
８０  服
８１  服
８３  靴
８４  タオル
【図１】
0006920770.tif 000002
【図２】
0006920770.tif 000003
【図３】
0006920770.tif 000004
【図４】
0006920770.tif 000005
【図５】
0006920770.tif 000006
【図６】
0006920770.tif 000007
【図７】
0006920770.tif 000008
【図８】
0006920770.tif 000009
【図９】
0006920770.tif 000010
【図１０】
0006920770.tif 000011
【図１１】
0006920770.tif 000012
【図１２】
0006920770.tif 000013
【図１３】
0006920770.tif 000014
【図１４】
0006920770.tif 000015
【図１５】
0006920770.tif 000016